【手続補正書】
【提出日】平成18年12月28日(2006.12.28)
【手続補正１】
【補正対象書類名】特許請求の範囲
【補正対象項目名】全文
【補正方法】変更
【補正の内容】
【特許請求の範囲】
【請求項１】
果実、花、葉および茎からなる群から選択される植物部分の品質を改善する方法であって、該植物部分の品質を改善するのに十分な量で修飾レシチンを含む組成物で該植物部分または相当する植物を処理する工程を含む方法。
【請求項２】
前記植物部分の前記品質が、膨らみ、色彩、風味および裂果からなる群から選択される特徴の少なくとも１つを含む、請求項１に記載の方法。
【請求項３】
植物部分における老化を遅延させる方法であって、該植物部分における老化を遅延させるのに十分な量で修飾レシチンを含む組成物で該植物部分または相当する植物を処理する工程を含む方法。
【請求項４】
老化遅延が、前記植物部分の貯蔵寿命すなわち保管寿命の延長により測定される、請求項３に記載の方法。
【請求項５】
果実、花、葉および茎からなる群から選択される植物部分の大きさ、重量またはその両方を増加させる方法であって、該植物部分の大きさ、重量またはその両方を増加させるのに有効量で修飾レシチンを含む組成物で該植物部分または相当する植物を処理する工程を含む方法。
【請求項６】
果実、花、葉および茎からなる群から選択される植物または植物部分の成長を刺激する方法であって、該植物または植物部分の成長を刺激するのに十分な量で修飾レシチンを含む組成物で該植物または植物部分を処理する工程を含む方法。
【請求項７】
前記組成物が、塊茎植物またはそれらの塊茎を前記組成物で処理することにより、塊茎形成を増強するのに使用される、請求項６に記載の方法。
【請求項８】
植物または植物部分の美的特性を改善する方法であって、該植物または植物部分の美的特性を改善するのに有効量で修飾レシチンを含む組成物で該植物または植物部分を処理する工程を含む方法。
【請求項９】
植物になる果実を増加させる方法であって、該植物になる果実を増加させるのに有効量で修飾レシチンを含む組成物で該植物またはその適切な部分を処理する工程を含む方法。
【請求項１０】
植物からの落果を低減させる方法であって、落果を低減させるのに有効量で修飾レシチンを含む組成物で該植物またはその適切な部分を処理する工程を含む方法。
【請求項１１】
前記果実がリンゴである、請求項１０に記載の方法。
【請求項１２】
ストレスに関連した損傷から植物または植物部分を保護する方法であって、ストレスに関連した損傷から該植物または植物部分を保護するのに有効量で修飾レシチンを含む組成物で該植物または植物部分を処理する工程を含む方法。
【請求項１３】
前記の植物または植物部分が、ストレス状況に曝露される前に前記組成物で処理される、請求項１２に記載の方法。
【請求項１４】
前記の植物または植物部分が、ストレス状況に曝露されている間に前記組成物で処理される、請求項１２に記載の方法。
【請求項１５】
前記の植物または植物部分が、ストレス状況に曝露された後に前記組成物で処理される、請求項１２に記載の方法。
【請求項１６】
前記組成物が少なくとも１種類の添加物をさらに含む、請求項１２に記載の方法。
【請求項１７】
前記ストレス損傷が非生物的ストレスの結果である、請求項１２に記載の方法。
【請求項１８】
前記非生物的ストレスが、冷害、凍結、風、霰、水害、干ばつ、暑さ、土壌圧縮、土壌痂皮、農薬、または上述のストレスの少なくとも２つの組合せの結果である、請求項１７に記載の方法。
【請求項１９】
前記農薬が、植物成長調節因子、殺虫剤、防虫剤、殺真菌剤、除草剤または肥料である、請求項１８に記載の方法。
【請求項２０】
前記ストレス損傷が生物的ストレスの結果である、請求項１２に記載の方法。
【請求項２１】
前記生物的ストレスが、病原体、昆虫、線虫、カタツムリ、ダニ、雑草、またはヒトおよびヒト以外の動物により引き起こされる物理的損害により引き起こされる、請求項２０に記載の方法。
【請求項２２】
前記病原体が真菌、細菌またはウイルスである、請求項２１に記載の方法。
【請求項２３】
前記修飾レシチンが酵素修飾レシチンである、請求項１、３、５、６、８、９、１０又は１２のいずれか１項に記載の方法。
【請求項２４】
前記酵素修飾レシチンが、卵レシチン、大豆レシチン、ヒマワリレシチン、ピーナッツレシチン、ゴマレシチンおよびカノーラレシチンからなる群に由来する、請求項２３に記載の方法。
【請求項２５】
前記酵素修飾レシチンが大豆レシチンに由来する、請求項２４に記載の方法。
【請求項２６】
前記修飾レシチンがアセチル化レシチンである、請求項１、３、５、６、８、９、１０又は１２のいずれか１項に記載の方法。
【請求項２７】
前記修飾レシチンがヒドロキシル化レシチンである、請求項１、３、５、６、８、９、１０又は１２のいずれか１項に記載の方法。
【請求項２８】
前記植物部分が果実から選択される、請求項１、３、５、６、８、９、１０又は１２のいずれか１項に記載の方法。
【請求項２９】
前記植物部分が、前記植物部分を前記植物から収穫する前に前記組成物に曝露される、請求項１、３、５、６、８、９、１０又は１２のいずれか１項に記載の方法。
【請求項３０】
前記植物部分が、前記植物部分を前記植物から収穫した後に前記組成物に曝露される、請求項１、３、５、６、８、９、１０又は１２のいずれか１項に記載の方法。
【請求項３１】
前記植物または植物部分を前記組成物で処理することが、前記の植物または植物部分に前記組成物を噴霧すること、および前記植物または植物部分を前記組成物に浸漬することからなる群から選択される方法により達成される、請求項１、３、５、６、８、９、１０又は１２のいずれか１項に記載の方法。
【請求項３２】
前記組成物中の前記修飾レシチン濃度が約１ｐｐｍ〜約２０，０００ｐｐｍである、請求項１、３、５、６、８、９、１０又は１２のいずれか１項に記載の方法。
【請求項３３】
前記組成物中の前記修飾レシチン濃度が約１０ｐｐｍ〜約１０，０００ｐｐｍである、請求項１、３、５、６、８、９、１０又は１２のいずれか１項に記載の方法。
【請求項３４】
前記組成物中の前記修飾レシチン濃度が約２５ｐｐｍ〜約５，０００ｐｐｍである、請求項１、３、５、６、８、９、１０又は１２のいずれか１項に記載の方法。
【請求項３５】
植物または植物部分における過敏応答を排除する方法であって、フェニルアラニンアンモニアリアーゼ、ポリフェノールオキシダーゼおよびペルオキシダーゼからなる群から選択される酵素の総活性を増加させるのに有効量で修飾レシチンを含む組成物で該植物または植物部分を処理する工程を含む方法。
【請求項３６】
植物または植物部分における酵素の総活性を増加させる方法であって、該酵素が、フェニルアラニンアンモニアリアーゼ、ポリフェノールオキシダーゼ、ペルオキシダーゼおよびインドール−３−酢酸オキシダーゼからなる群から選択され、酵素の総活性を増加させるのに有効量で修飾レシチンを含む組成物で該植物または植物部分を処理する工程を含む方法。
【請求項３７】
植物または植物部分におけるリグニン合成を増加させる方法であって、該植物または植物部分におけるリグニン合成を増加させるのに有効量で修飾レシチンを含む組成物で該植物または植物部分を処理する工程を含む方法。
【請求項３８】
前記植物部分が塊茎である、請求項１、３、５、６、８、９、１０又は１２のいずれか１項に記載の方法。
【請求項３９】
前記茎が塊茎である、請求項１、５又は６のいずれか１項に記載の方法。